(57)【要約】【課題】作業性を向上できる分析システムを提供する。【解決手段】分析システム１において自動補正の処理を行う場合には、ユーザは、表示部３２に表示される表示画面を確認しながら、自動補正のためのボタンを選択する。自動補正が選択された場合には、溶媒が自動吸引装置４によりフローセル内に吸引され、溶媒に対して分光光度計３で測定が行われて補正値が取得され、自動吸引装置４によりフローセル内から溶媒が排出される一連の動作が自動で実施される。また、分析システム１において手動補正の処理を行う場合には、ユーザは、表示部３２に表示される表示画面を確認しながら、手動補正のためのボタンを選択する。手動補正が選択された場合には、自動吸引装置４による吸引動作が行われることなく分光光度計３により測定が行われて、補正値が取得される。【選択図】  図２
2019152470.tif 000002
【特許請求の範囲】
【請求項１】
フローセル内の液体試料に光を照射して測定を行う分光光度計と、前記フローセル内に液体試料を自動で吸引する自動吸引装置とを備えた分析システムであって、
前記分光光度計は、
表示部と、
自動補正又は手動補正のいずれを実行するかを選択するための補正選択画面を前記表示部に表示させる表示処理部とを備え、
前記自動補正では、試料を含有しない溶媒を前記自動吸引装置により前記フローセル内に吸引し、当該溶媒に対して前記分光光度計により測定を行った後、前記自動吸引装置により前記フローセル内から溶媒を排出する動作を自動で行い、溶媒の測定結果を用いて液体試料の測定結果を補正し、
前記手動補正では、前記自動吸引装置による吸引動作を行うことなく前記分光光度計により測定を行い、その測定結果を用いて液体試料の測定結果を補正することを特徴とする分析システム。
【請求項２】
前記表示処理部は、自動洗浄又は手動洗浄のいずれを実行するかを選択するための洗浄選択画面を前記表示部に表示させ、
前記自動洗浄では、液体試料を前記自動吸引装置により前記フローセル内に吸引して洗浄を行う動作を予め設定された回数だけ自動で行い、
前記手動洗浄では、当該手動洗浄が選択された後に設定された回数だけ、液体試料を前記自動吸引装置により前記フローセル内に吸引して洗浄を行う動作を行うことを特徴とする請求項１に記載の分析システム。
【請求項３】
前記表示処理部は、前記予め設定された回数を前記洗浄選択画面に表示させることを特徴とする請求項２に記載の分析システム。
【請求項４】
前記表示処理部は、前記自動洗浄による洗浄動作が行われているときに、実際に行われた洗浄動作の回数を前記予め設定された回数に対応付けて前記洗浄選択画面に表示させることを特徴とする請求項３に記載の分析システム。
【請求項５】
前記表示処理部は、自動測定又は手動測定のいずれを実行するかを選択するための測定選択画面を前記表示部に表示させ、
前記自動測定では、液体試料を前記自動吸引装置により前記フローセル内に吸引し、当該液体試料に対して前記分光光度計により測定を行った後、前記自動吸引装置により前記フローセル内から液体試料を排出する動作を自動で行い、
前記手動測定では、前記分光光度計により測定を行った後、前記自動吸引装置による排出動作を行わないことを特徴とする請求項１〜４のいずれか一項に記載の分析システム。
【発明の詳細な説明】
【技術分野】
【０００１】
本発明は、フローセル内の液体試料に光を照射して測定を行う分光光度計と、フローセル内に液体試料を自動で吸引する自動吸引装置とを備えた分析システムに関するものである。
【背景技術】
【０００２】
従来より、分析装置として分光光度計が利用されている。分光光度計は、光源と、光検出器とを備えている。分光光度計では、光源からの光が試料に向けて照射され、試料からの透過光又は反射光が光検出器で検出される。そして、光検出器からの検出信号に基づいて分析が行われる。
【０００３】
このような分光光度計において、試料として液体試料を用いる場合がある。また、液体試料の数（種類）が多い場合もある。このような場合には、分光光度計内に液体試料を導入するための吸引装置を別途設け、この吸引装置の動作により分光光度計のフローセルに液体試料を導入している。
【０００４】
このように液体試料の分析を行う際には、測定結果を補正する処理が行われている。具体的には、溶媒をフローセルに導入した状態でフローセルに向けて光を照射し、このときの光検出器からの検出信号に基づいて補正値を取得している。そして、この補正値に基づいて、液体試料を測定したときの測定値を補正している（例えば、下記特許文献１参照）。
このように補正処理を行うことで、測定結果からバックグランド成分を除去できる。
【先行技術文献】
【特許文献】
【０００５】
【特許文献１】特開２００１−３０５０５４号公報
【発明の概要】
【発明が解決しようとする課題】
【０００６】
従来のシステムでは、ユーザの作業が煩雑化するという不具合が生じていた。具体的には、上記した処理を行う場合には、溶媒をフローセルに導入し、フローセルに光を照射して補正値を取得し、溶媒をフローセルから排出するといった動作を実施する必要がある。従来のシステムでは、これらの各動作を開始させるための入力操作をユーザがそれぞれのタイミングで手動により実施していた。そのため、ユーザの作業が煩雑化していた。その一方で、分析内容によっては、これらの各動作を手動操作により実施することが好ましい場合もある。
本発明は、上記実情に鑑みてなされたものであり、作業性を向上できる分析システムを提供することを目的とする。
【課題を解決するための手段】
【０００７】
（１）本発明に係る分析システムは、フローセル内の液体試料に光を照射して測定を行う分光光度計と、前記フローセル内に液体試料を自動で吸引する自動吸引装置とを備えた分析システムである。前記分光光度計は、表示部と、表示処理部とを備える。前記表示処理部は、自動補正又は手動補正のいずれを実行するかを選択するための補正選択画面を前記表示部に表示させる。前記自動補正では、試料を含有しない溶媒を前記自動吸引装置により前記フローセル内に吸引し、当該溶媒に対して前記分光光度計により測定を行った後、前記自動吸引装置により前記フローセル内から溶媒を排出する動作を自動で行い、溶媒の測定結果を用いて液体試料の測定結果を補正する。前記手動補正では、前記自動吸引装置による吸引動作を行うことなく前記分光光度計により測定を行い、その測定結果を用いて液体試料の測定結果を補正する。
【０００８】
このような構成によれば、自動補正の処理を行う場合には、ユーザは、表示部に表示された補正選択画面を確認しながら自動補正を選択する。自動補正が選択された場合には、溶媒が自動吸引装置によりフローセル内に吸引され、溶媒に対して分光光度計により測定が行われ、自動吸引装置によりフローセル内から溶媒が排出される一連の動作が自動で実施される。また、手動補正の処理を行う場合には、ユーザは、表示部に表示された補正選択画面を確認しながら手動補正を選択する。手動補正が選択された場合には、自動吸引装置による吸引動作が行われることなく分光光度計により測定が行われ、その測定結果を用いて液体試料の測定結果が補正される。
【０００９】
そのため、ユーザが補正処理の自動化を所望する場合には、補正選択画面を確認しながら自動補正を選択することで、補正処理のための一連の動作を自動により実施できる。また、ユーザが補正処理のため動作を手動で実施することを所望する場合には、補正選択画面を確認しながら手動補正を選択することで、補正処理のための動作を手動により実施できる。
その結果、分析システムにおける作業性を向上できる。
【００１０】
（２）また、前記表示処理部は、自動洗浄又は手動洗浄のいずれを実行するかを選択するための洗浄選択画面を前記表示部に表示させてもよい。前記自動洗浄では、液体試料を前記自動吸引装置により前記フローセル内に吸引して洗浄を行う動作を予め設定された回数だけ自動で行ってもよい。前記手動洗浄では、当該手動洗浄が選択された後に設定された回数だけ、液体試料を前記自動吸引装置により前記フローセル内に吸引して洗浄を行う動作を行ってもよい。
【００１１】
このような構成によれば、自動洗浄の処理を行う場合には、ユーザは、表示部に表示された洗浄選択画面を確認しながら自動洗浄を選択する。自動洗浄が選択された場合には、液体試料が自動吸引装置によりフローセル内に吸引されて洗浄が行われる動作が予め設定された回数だけ自動により実施される。また、手動洗浄の処理を行う場合には、ユーザは、表示部に表示された洗浄選択画面を確認しながら手動洗浄を選択する。手動洗浄が選択された場合には、手動洗浄が選択された後に設定された回数だけ、液体試料を自動吸引装置によりフローセル内に吸引して洗浄を行う動作が実施される。
【００１２】
そのため、ユーザが洗浄処理の自動化を所望する場合には、洗浄選択画面を確認しながら自動洗浄を選択することで、洗浄処理のための一連の動作を自動により実施できる。また、ユーザが洗浄処理のため動作を手動で実施することを所望する場合には、洗浄選択画面を確認しながら手動洗浄を選択することで、洗浄処理のための動作を手動により実施できる。
その結果、分析システムにおける作業性を向上できる。
【００１３】
（３）また、前記表示処理部は、前記予め設定された回数を前記洗浄選択画面に表示させてもよい。
【００１４】
このような構成によれば、ユーザに対して、予め設定された洗浄の回数を認識させることができる。
【００１５】
（４）また、前記表示処理部は、前記自動洗浄による洗浄動作が行われているときに、実際に行われた洗浄動作の回数を前記予め設定された回数に対応付けて前記洗浄選択画面に表示させてもよい。
【００１６】
このような構成によれば、ユーザに対して、実際に行われた洗浄動作の回数と予め設定された洗浄の回数との対応状況を認識させることができる。
【００１７】
（５）また、前記表示処理部は、自動測定又は手動測定のいずれを実行するかを選択するための測定選択画面を前記表示部に表示させてもよい。前記自動測定では、液体試料を前記自動吸引装置により前記フローセル内に吸引し、当該液体試料に対して前記分光光度計により測定を行った後、前記自動吸引装置により前記フローセル内から液体試料を排出する動作を自動で行ってもよい。前記手動測定では、前記分光光度計により測定を行った後、前記自動吸引装置による排出動作を行わなくてもよい。
【００１８】
このような構成によれば、自動測定の処理を行う場合には、ユーザは、表示部に表示された測定選択画面を確認しながら自動測定を選択する。自動測定が選択された場合には、液体試料が自動吸引装置によりフローセル内に吸引され、液体試料に対して分光光度計により測定が行われた後、自動吸引装置によりフローセル内から液体試料が排出される一連の動作が自動で実施される。また、手動測定の処理を行う場合には、ユーザは、表示部に表示された測定選択画面を確認しながら手動測定を選択する。手動測定が選択された場合には、分光光度計により測定が行われた後、自動吸引装置による排出動作が行われない。
【００１９】
そのため、ユーザが測定処理の自動化を所望する場合には、測定選択画面を確認しながら自動測定を選択することで、測定処理のための一連の動作を自動により実施できる。また、ユーザが測定処理のため動作を手動で実施することを所望する場合には、測定選択画面を確認しながら手動測定を選択することで、測定処理のための動作を手動により実施できる。
その結果、分析システムにおける作業性を向上できる。
【発明の効果】
【００２０】
本発明によれば、ユーザが補正処理の自動化を所望する場合には、補正選択画面を確認しながら自動補正を選択することで、補正処理のための一連の動作を自動により実施できる。ユーザが補正処理のため動作を手動で実施することを所望する場合には、補正選択画面を確認しながら手動補正を選択することで、補正処理のための動作を手動により実施できる。そのため、分析システムにおける作業性を向上できる。
【図面の簡単な説明】
【００２１】
【図１】本発明の一実施形態に係る分析システムの構成を示した概略図である。
【図２】分析システムの電気的構成を示したブロック図である。
【図３Ａ】分光光度計の表示部での表示例を示した図であって、表示部に表示される表示画面が基本画面となる状態を示している。
【図３Ｂ】分光光度計の表示部での表示例を示した図であって、表示部に表示される表示画面が補正選択画面となる状態であって、オートゼロボタンが選択される状態を示している。
【図３Ｃ】分光光度計の表示部での表示例を示した図であって、表示部に表示される表示画面が補正選択画面となる状態であって、ベース補正ボタンが選択される状態を示している。
【図３Ｄ】分光光度計の表示部での表示例を示した図であって、表示部に表示される表示画面が洗浄選択画面となる状態であって、洗浄ボタンが選択される状態を示している。
【図３Ｅ】分光光度計の表示部での表示例を示した図であって、表示部に表示される表示画面が洗浄選択画面となる状態であって、洗浄動作が行われるときの状態を示している。
【図３Ｆ】分光光度計の表示部での表示例を示した図であって、表示部に表示される表示画面が測定選択画面となる状態を示している。
【発明を実施するための形態】
【００２２】
１．分析システムの構成
図１は、本発明の一実施形態に係る分析システム１の構成を示した概略図である。
分析システム１は、供給装置２と、分光光度計３と、自動吸引装置４と、廃液タンク５とを備えている。
【００２３】
供給装置２には、濃度の異なる複数種類の液体試料、及び、試料を含有しない溶媒が収容されている。供給装置２には、接続管６を介して分光光度計３が接続されている。供給装置２は、複数種類の液体試料、及び、溶媒のいずれか１つを選択し、この選択した液体を分光光度計３に向けて送出する。
【００２４】
分光光度計３は、フローセル３１を備えている。接続管６は、フローセル３１に接続されている。また、フローセル３１には、接続管７を介して自動吸引装置４が接続されている。分光光度計３は、光源（図示せず）や、検出器３５（後述する）などを備えている。分光光度計３では、フローセル３１内の液体試料に対して光源からの光が照射されて測定が行われる。
【００２５】
自動吸引装置４には、ポンプ（後述する）が備えられている。自動吸引装置４は、このポンプの吸引動作により、接続管７を介してフローセル３１内に液体試料を導入する。自動吸引装置４には、接続管８を介して廃液タンク５が接続されている。
【００２６】
分析システム１では、接続管６、フローセル３１及び接続管７を介して、供給装置２から自動吸引装置４に向かう流路と、接続管８を介して、自動吸引装置４から廃液タンク５に向かう流路が形成されている。
【００２７】
分析システム１を用いて分析を行う場合には、まず、供給装置２において所定の液体試料が選択される。その後、自動吸引装置４の動作が開始され、供給装置２で選択された液体試料が接続管６を介してフローセル３１内に導入される。
【００２８】
この状態で、分光光度計３において光源から光が照射される。分光光度計３では、光源からの光が分光されてフローセル３１内の液体試料に照射され、フローセル３１を透過又は反射した後の光が検出器３５（後述する）によって検出される。そして、分光光度計３において、検出器３５からの検出信号に基づいて液体試料に関するスペクトルが作成される。
【００２９】
分光光度計３での分析が終了すると、再度自動吸引装置４の動作が開始され、フローセル３１内の液体試料は、接続管７，８を流れて廃液タンク５に排出される。
このように、分析システム１では、自動吸引装置４が動作されることにより、供給装置２から分析対象の液体試料がフローセル３１に導入されて測定が行われる。また、分析が完了すると、フローセル３１から液体試料が排出される。
【００３０】
２．分析システムの電気的構成
図２は、分析システム１の電気的構成を示したブロック図である。
分析システム１において、自動吸引装置４は、ポンプ４１を備えている。ポンプ４１は、例えば、ローラポンプである。ポンプ４１が動作することで、供給装置２内の液体試料又は溶媒が分光光度計３内に吸引される。
【００３１】
また、分析システム１において、分光光度計３は、上記したフローセル３１に加えて、表示部３２、検出器３５、記憶部３６及び制御部３７などを備えている。
表示部３２は、タッチパネルを含んでいる。分光光度計３では、ユーザは、表示部３２に表示される各種情報を確認（視認）できるとともに、表示部３２において各種情報の入力操作を行うことができる。
【００３２】
検出器３５は、検出した光に応じて検出信号を出力する。
記憶部３６は、ＲＯＭ（Read Only Memory）、ＲＡＭ（Random Access Memory）及びハードディスクなどにより構成されている。記憶部３６には、設定回数情報３６１が記憶されている。設定回数情報３６１は、分光光度計３において洗浄動作を行う回数の情報であって、予め記憶部３６に記憶されている。
【００３３】
制御部３７は、例えば、ＣＰＵ（Central Processing Unit）を含む構成である。制御部３７には、ポンプ４１、表示部３２、検出器３５及び記憶部３６などが電気的に接続されている。制御部３７は、ＣＰＵがプログラムを実行することにより、送液処理部３７１、補正処理部３７２、データ処理部３７３及び表示処理部３７４などとして機能する。
【００３４】
送液処理部３７１は、表示部３２での入力結果に基づいて、ポンプ４１の動作を制御する。
補正処理部３７２は、フローセル３１内に溶媒が導入された状態で検出器３５から出力される検出信号に基づいて、補正値を取得（作成）する。
【００３５】
データ処理部３７３は、補正処理部３７２が取得する補正値、及び、検出器３５からの検出信号に基づいて、溶媒に起因するバックグランド成分を除去した後のスペクトルを作成する処理を行う。
【００３６】
表示処理部３７４は、データ処理部３７３により作成されたスペクトルを表示部３２に表示させる処理を行うとともに、表示部３２での入力内容、及び、送液処理部３７１によるポンプ４１の動作状況に応じて、表示部３２に所定の表示画面を表示させる処理を行う。
【００３７】
３．制御部の制御動作、及び、表示部の表示態様
図３Ａ〜図３Ｆは、分光光度計３の表示部３２での表示例を示した図である。具体的には、図３Ａは、分光光度計３の表示部３２に表示される表示画面３２１が基本画面である状態を示している。図３Ｂは、分光光度計３の表示部３２に表示される表示画面３２１が補正選択画面である状態であって、オートゼロボタン３２３が選択される状態を示している。図３Ｃは、分光光度計３の表示部３２に表示される表示画面３２１が補正選択画面である状態であって、ベース補正ボタン３２４が選択される状態を示している。図３Ｄは、分光光度計３の表示部３２に表示される表示画面３２１が洗浄選択画面である状態であって、洗浄ボタン３２５が選択される状態を示している。図３Ｅは、分光光度計３の表示部３２に表示される表示画面３２１が洗浄択画面である状態であって、洗浄動作が行われるときの状態を示している。図３Ｆは、分光光度計３の表示部３２に表示される表示画面３２１が測定選択画面である状態を示している。
【００３８】
分光光度計３の表示部３２には、図３Ａに示すように、表示画面３２１が表示される。表示画面３２１は、分光光度計３における動作の状況などに応じて、表示処理部３７４の処理により、適宜、基本画面、補正選択画面、洗浄選択画面、測定選択画面などとして表示される。分光光度計３において、分析動作が開始される前の待機状態などでは、図３Ａに示すように、表示画面３２１は、基本画面の状態になっている。
【００３９】
表示画面３２１には、基本的な画面構成として、図示しない各種操作ボタンが表示される表示領域３２２と、オートゼロボタン３２３と、ベース補正ボタン３２４と、洗浄ボタン３２５とが表示される。
【００４０】
表示領域３２２は、表示画面３２１の主要部分において矩形状に表示されている。オートゼロボタン３２３、ベース補正ボタン３２４及び洗浄ボタン３２５は、表示画面３２１内において表示領域３２２の下方に配置されている。
【００４１】
オートゼロボタン３２３は、分光光度計３においてオートゼロ処理を開始させるためのボタンである。オートゼロ処理とは、分光光度計３においてフローセル３１に向けて照射される光の波長を固定波長とした状態で行う補正処理である。
【００４２】
ベース補正ボタン３２４は、分光光度計３においてベースライン処理を開始させるためのボタンである。ベースライン処理とは、分光光度計３においてフローセル３１に向けて一定波長間隔で光を照射しながら行う補正処理である。
洗浄ボタン３２５は、分光光度計３において洗浄処理を開始させるためのボタンである。
【００４３】
分光光度計３を用いて分析を行う際には、光源からの光が溶媒に照射されるときに生じるバックグランド成分が、補正値として取得される。そして、この補正値に基づいて、バックグランド成分を除去した状態のスペクトルが作成される。
【００４４】
具体的には、ユーザは、補正処理としてオートゼロ処理を行う場合には、表示画面３２１（基本画面）において、オートゼロボタン３２３をタッチする。
すると、図３Ｂに示すように、ダイアログ３２６が表示される。ダイアログ３２６は、オートゼロボタン３２３の近傍であって、表示領域３２２に重なるように表示される。ダイアログ３２６には、自動オートゼロボタン３２７及び手動オートゼロボタン３２８が表示される。
【００４５】
自動オートゼロボタン３２７は、オートゼロ処理のための一連の動作の自動実施を開始させるためのボタンである。
手動オートゼロボタン３２８は、オートゼロ処理のための動作を手動により開始させるためのボタンである。
【００４６】
図３Ｂに示す状態で、ユーザにより自動オートゼロボタン３２７がタッチされると、送液処理部３７１により自動吸引装置４のポンプ４１が動作されて、供給装置２内の溶媒がフローセル３１内に吸引される。その後、送液処理部３７１により自動吸引装置４のポンプ４１が停止された状態（送液が停止された状態）に保たれる。また、補正処理部３７２は、フローセル３１内に溶媒が収容されている状態で、検出器３５からの検出信号に基づいて、バックグランド成分をオートゼロ処理の際の補正値として取得する。
【００４７】
そして、送液処理部３７１により自動吸引装置４のポンプ４１が動作されて、フローセル３１内の溶媒が接続管７及び接続管８を介して廃液タンク５に排出される。
【００４８】
このように、ユーザにより自動オートゼロボタン３２７がタッチされた場合には、溶媒をフローセル３１に導入し、オートゼロ処理に必要となる補正値を取得し、さらに、フローセル３１から溶媒を排出する一連の動作が自動で実施される。
【００４９】
また、図３Ｂに示す状態で、ユーザにより手動オートゼロボタン３２８がタッチされると、送液処理部３７１による処理は行われない（自動吸引装置４のポンプ４１は動作されない）。そして、補正処理部３７２は、手動オートゼロボタン３２８がタッチされたときの状態で、検出器３５からの検出信号に基づいて、バックグランド成分をオートゼロ処理の際の補正値として取得する。
【００５０】
すなわち、ユーザにより手動オートゼロボタン３２８がタッチされた場合には、自動吸引装置４による吸引動作が行われることなく、オートゼロ処理に必要となる補正値が取得される。例えば、フローセル３１が空の状態でユーザにより手動オートゼロボタン３２８がタッチされた場合には、補正処理部３７２は、フローセル３１が空の状態で、検出器３５からの検出信号に基づいて、バックグランド成分をオートゼロ処理の際の補正値として取得する。
【００５１】
一方、補正処理としてベースライン処理を行う場合には、ユーザは、図３Ａに示す表示画面３２１（基本画面）において、ベース補正ボタン３２４をタッチする。
すると、図３Ｃに示すように、ダイアログ３２９が表示される。ダイアログ３２９は、ベース補正ボタン３２４の近傍であって、表示領域３２２に重なるように表示される。ダイアログ３２９には、自動ベース補正ボタン３３０及び手動ベース補正ボタン３３１が表示される。
【００５２】
自動ベース補正ボタン３３０は、ベースライン処理のための一連の動作の自動実施を開始させるためのボタンである。
手動ベース補正ボタン３３１は、ベースライン処理のための動作を手動により開始させるためのボタンである。
【００５３】
図３Ｃに示す状態で、ユーザにより自動ベース補正ボタン３３０がタッチされると、送液処理部３７１により自動吸引装置４のポンプ４１が動作されて、供給装置２内の溶媒がフローセル３１内に吸引される。その後、送液処理部３７１により自動吸引装置４のポンプ４１が停止された状態（送液が停止された状態）に保たれる。また、補正処理部３７２は、フローセル３１内に溶媒が収容されている状態で、検出器３５からの検出信号に基づいて、バックグランド成分をベースライン処理の際の補正値として取得する。
【００５４】
そして、送液処理部３７１により自動吸引装置４のポンプ４１が動作されて、フローセル３１内の溶媒が接続管７及び接続管８を介して廃液タンク５に排出される。
【００５５】
このように、ユーザにより自動ベース補正ボタン３３０がタッチされた場合には、溶媒をフローセル３１に導入し、ベースライン処理に必要となる補正値を取得し、さらに、フローセル３１から溶媒を排出する一連の動作が自動で実施される。
【００５６】
また、図３Ｃに示す状態で、ユーザにより手動ベース補正ボタン３３１がタッチされると、送液処理部３７１による処理は行われない（自動吸引装置４のポンプ４１は動作されない）。そして、補正処理部３７２は、手動ベース補正ボタン３３１がタッチされたときの状態で、検出器３５からの検出信号に基づいて、バックグランド成分をベースライン処理の際の補正値として取得する。
【００５７】
すなわち、ユーザにより手動ベース補正ボタン３３１がタッチされた場合には、自動吸引装置４による吸引動作が行われることなく、ベースライン処理に必要となる補正値が取得される。例えば、フローセル３１が空の状態でユーザにより手動ベース補正ボタン３３１がタッチされた場合には、補正処理部３７２は、フローセル３１が空の状態で、検出器３５からの検出信号に基づいて、バックグランド成分をベースライン処理の際の補正値として取得する。
【００５８】
このようにして補正値が取得されると、図３Ａに示すように、表示画面３２１が再び基本画面の状態になる。また、供給装置２では、所定の液体試料が選択される。この状態から、洗浄処理が行われる。
ユーザは、洗浄処理を行う場合には、表示画面３２１において、洗浄ボタン３２５をタッチする。
【００５９】
すると、図３Ｄに示すように、ダイアログ３４０が表示される。ダイアログ３４０は、洗浄ボタン３２５の近傍であって、表示領域３２２に重なるように表示される。ダイアログ３４０には、自動洗浄ボタン３４１及び手動洗浄ボタン３４２が表示される。
【００６０】
自動洗浄ボタン３４１は、洗浄処理のための一連の動作の自動実施を開始させるためのボタンである。
手動洗浄ボタン３４２は、洗浄処理のための動作を手動により開始させるためのボタンである。
【００６１】
図３Ｄに示す状態で、ユーザにより自動洗浄ボタン３４１がタッチされると、設定回数情報３６１が示す回数だけ洗浄動作が自動で実施される。具体的には、送液処理部３７１により自動吸引装置４のポンプ４１が動作されて、供給装置２内の液体試料が接続管６を介してフローセル３１内に吸引され、さらに、接続管７及び接続管８を介して、廃液タンク５に排出される。そして、このように、液体試料によってフローセル３１内が洗浄される動作が、記憶部３６に記憶されている設定回数情報３６１が示す回数だけ繰り返される。
【００６２】
このように分光光度計３において洗浄処理が行われるときには、図３Ｅに示すように、洗浄ボタン３２５の表示が適宜変化する。具体的には、洗浄処理の際には、洗浄ボタン３２５において、設定回数及び洗浄完了の回数（実際に行われた洗浄動作の回数）が表示される。より具体的には、洗浄処理の際には、洗浄ボタン３２５において、分母が設定回数を示し、分子が洗浄完了の回数を示す分数表示が表示される。図３Ｅでは、設定回数情報３６１として４回という情報が記憶部３６に記憶されており、洗浄処理が１回だけ完了した状態が示されている。この後、洗浄動作の完了した回数が増えていくと、洗浄ボタン３２５において、分子が示す値が順次増加する。
【００６３】
一方、図３Ｄに示す状態で、ユーザにより手動洗浄ボタン３４２がタッチされると、その後にユーザにより洗浄ボタン３２５がタッチされた回数が設定回数とされる。そして、その設定回数だけ、洗浄動作が繰り返し実施される。また、洗浄処理の際には、上記と同様に、洗浄ボタン３２５の表示が適宜変化する。
【００６４】
そして、分光光度計３において設定回数だけ洗浄処理が完了すると、図３Ｆに示すように、表示画面３２１において、洗浄ボタン３２５に代えて自動測定ボタン３４３及び手動測定ボタン３４４が表示される。図３Ｆに示す表示画面３２１の状態が測定選択画面の一例である。
【００６５】
自動測定ボタン３４３は、測定処理のための一連の動作の自動実施を開始させるためのボタンである。
手動測定ボタン３４４は、測定処理のための動作を手動により開始させるためのボタンである。
【００６６】
図３Ｆに示す状態で、ユーザにより自動測定ボタン３４３がタッチされると、送液処理部３７１により自動吸引装置４のポンプ４１が動作されて、供給装置２内の液体試料がフローセル３１内に吸引される。その後、送液処理部３７１により自動吸引装置４のポンプ４１が停止された状態（送液が停止された状態）に保たれる。
【００６７】
この状態で、データ処理部３７３は、補正処理部３７２が取得した補正値、及び、検出器３５からの検出信号に基づいて、バックグランド成分を除去した後のスペクトルを作成する処理を行う。データ処理部３７３により作成されたスペクトルは、表示処理部３７４により、表示部３２に表示される。その後、送液処理部３７１により自動吸引装置４のポンプ４１が動作されて、フローセル３１内の液体試料が接続管７及び接続管８を介して廃液タンク５に排出される。
【００６８】
このように、ユーザにより自動測定ボタン３４３がタッチされた場合には、液体試料をフローセル３１に導入し、スペクトルの作成処理を行い、さらに、フローセル３１から液体試料を排出する一連の動作が自動で実施される。
【００６９】
また、フローセル３１内に液体試料が導入された状態で、ユーザにより手動測定ボタン３４４がタッチされると、データ処理部３７３は、補正処理部３７２が取得した補正値、及び、検出器３５からの検出信号に基づいて、バックグランド成分を除去した後のスペクトルを作成する処理を行う。このとき、液体試料の自動での排出は行われない。なお、ユーザにより表示領域３２２内のボタン（図示せず）が別途操作された場合には、その操作に応じてフローセル３１内の液体試料が排出される。
【００７０】
４．作用効果
（１）本実施形態によれば、分析システム１において自動補正の処理を行う場合には、ユーザは、図３Ｂに示す表示画面３２１（補正選択画面）、又は、図３Ｃに示す表示画面３２１（補正選択画面）を確認しながら、自動補正のためのボタン（自動オートゼロボタン３２７又は自動ベース補正ボタン３３０）を選択する。自動補正が選択された場合には、溶媒が自動吸引装置４によりフローセル３１内に吸引され、溶媒に対して分光光度計３で測定が行われて補正値が取得され、自動吸引装置４によりフローセル内から溶媒が排出される一連の動作が自動で実施される。そして、補正値を用いてバックグランド成分を除去したスペクトルが作成される。また、分析システム１において手動補正の処理を行う場合には、ユーザは、図３Ｂに示す表示画面３２１（補正選択画面）、又は、図３Ｃに示す表示画面３２１（補正選択画面）を確認しながら、手動補正のためのボタン（手動オートゼロボタン３２８又は手動ベース補正ボタン３３１）を選択する。手動補正が選択された場合には、自動吸引装置４による吸引動作が行われることなく分光光度計３により測定が行われて、補正値が取得され、その補正値を用いてバックグランド成分を除去したスペクトルが作成される。
【００７１】
そのため、ユーザが補正処理の自動化を所望する場合には、表示画面３２１（補正選択画面）を確認しながら自動オートゼロボタン３２７又は自動ベース補正ボタン３３０を選択することで、補正処理のための一連の動作を自動により実施できる。また、ユーザが補正処理のため動作の手動での実施を所望する場合には、表示画面３２１（補正選択画面）を確認しながら手動オートゼロボタン３２８又は手動ベース補正ボタン３３１を選択することで、補正処理のための動作を手動により実施できる。
その結果、分析システム１における作業性を向上できる。
【００７２】
（２）また、本実施形態によれば、分析システム１において自動洗浄の処理を行う場合には、ユーザは、図３Ｄに示す表示画面３２１（洗浄選択画面）を確認しながら、自動洗浄のためのボタン（自動洗浄ボタン３４１）を選択する。自動洗浄が選択された場合には、液体試料が自動吸引装置４によりフローセル３１内に吸引されて洗浄が行われる動作が予め設定された回数だけ自動により実施される。また、分析システム１において手動洗浄の処理を行う場合には、ユーザは、図３Ｄに示す表示画面３２１（洗浄選択画面）を確認しながら、手動洗浄のためのボタン（手動洗浄ボタン３４２）を選択する。手動洗浄が選択された場合には、手動洗浄が選択された後に洗浄ボタン３２５がタッチされることで設定された回数だけ、液体試料を自動吸引装置４によりフローセル３１内に吸引して洗浄を行う動作が実施される。
【００７３】
そのため、ユーザが洗浄処理の自動化を所望する場合には、表示画面３２１（洗浄選択画面）を確認しながら自動洗浄ボタン３４１を選択することで、洗浄処理のための一連の動作を自動により実施できる。また、ユーザが洗浄処理のため動作の手動での実施を所望する場合には、表示画面３２１（洗浄選択画面）を確認しながら手動洗浄ボタン３４２を選択することで、洗浄処理のための動作を手動により実施できる。
その結果、分析システム１における作業性を向上できる。
【００７４】
（３）また、本実施形態によれば、分光光度計３において、表示処理部３７４は、図３Ｅに示すように、予め設定された洗浄の回数を表示画面３２１（洗浄ボタン３２５）に表示させる処理を行う。
そのため、ユーザに対して、予め設定された洗浄の回数を認識させることができる。
【００７５】
（４）また、本実施形態によれば、分光光度計３において、表示処理部３７４は、図３Ｅに示すように、自動洗浄による洗浄動作が行われているときに、実際に行われた洗浄動作の回数を前記予め設定された回数に対応付けて表示画面３２１（洗浄ボタン３２５）に表示させる処理を行う。
そのため、ユーザに対して、実際に行われた洗浄動作の回数と予め設定された洗浄の回数との対応状況を認識させることができる。
【００７６】
（５）また、本実施形態によれば、分析システム１において自動測定の処理を行う場合には、ユーザは、図３Ｆに示す表示画面３２１（測定選択画面）を確認しながら、自動測定のためのボタン（自動測定ボタン３４３）を選択する。自動測定が選択された場合には、液体試料が自動吸引装置４によりフローセル３１内に吸引され、分光光度計３で液体試料の測定が行われた後、自動吸引装置４によりフローセル３１内から液体試料が排出される一連の動作が自動で実施される。また、分析システム１において手動測定の処理を行う場合には、ユーザは、図３Ｆに示す表示画面３２１（測定選択画面）を確認しながら、手動測定のためのボタン（手動測定ボタン３４４）を選択する。手動測定が選択された場合には、分光光度計３により測定が行われた後、自動吸引装置４による排出動作が行われない。
【００７７】
そのため、ユーザが測定処理の自動化を所望する場合には、表示画面３２１（測定選択画面）を確認しながら自動測定ボタン３４３を選択することで、測定処理のための一連の動作を自動により実施できる。また、ユーザが測定処理のため動作の手動での実施を所望する場合には、表示画面３２１（測定選択画面）を確認しながら手動測定ボタン３４４を選択することで、測定処理のための動作を手動により実施できる。
その結果、分析システム１における作業性を向上できる。
【符号の説明】
【００７８】
１      分析システム
３      分光光度計
４      自動吸引装置
３１    フローセル
３２    表示部
３７    制御部
３２１  表示画面
３２７  自動オートゼロボタン
３２８  手動オートゼロボタン
３３０  自動ベース補正ボタン
３３１  手動ベース補正ボタン
３４１  自動洗浄ボタン
３４２  手動洗浄ボタン
３４３  自動測定ボタン
３４４  手動測定ボタン
３６１  設定回数情報
３７４  表示処理部
【図１】
2019152470.tif 000003
【図２】
2019152470.tif 000004
【図３Ａ】
2019152470.tif 000005
【図３Ｂ】
2019152470.tif 000006
【図３Ｃ】
2019152470.tif 000007
【図３Ｄ】
2019152470.tif 000008
【図３Ｅ】
2019152470.tif 000009
【図３Ｆ】
2019152470.tif 000010